(57)【要約】【課題】魚類の特性を利用し、餌の絵と擬似餌で魚を誘引して捕獲する漁撈用の筌に係り、さらに詳しくは、生餌を使用しないため、環境汚染を誘発しないうえ、生餌の購入にかかる購入費を節減して漁師の収入を増大させ、各魚類の大きさに能動的に対応することができて魚類の大きさに制限されないため様々な魚類を捕獲することができ、多量の魚類を少ない人手で容易に捕獲することができるようにした漁撈用の筌に関する。【解決手段】本発明によれば、漁網によって四角筒体状に構成され、後方が開口した本体と、本体の前方および左右方向にそれぞれ設置され、生餌を使用することなく本体の内部に魚類を誘引して閉じ込める複数の誘引具と、本体の後方に連設され、誘引具を通して流入する魚類を生きている状態で貯蔵する空間が漁網によって区画された貯蔵部とを含んでなることを特徴とする、漁撈用の筌を提供する。【選択図】図３
2016214214.tif 000002
【特許請求の範囲】
【請求項１】
漁網によって四角筒体状に構成され、後方が開口した本体と、
前記本体の前方および左右方向にそれぞれ設置され、生餌を使用することなく本体の内部に魚類を誘引して閉じ込める複数の誘引具と、
前記本体の後方に連設され、前記誘引具を通して流入する魚類を生きている状態で貯蔵する空間が漁網によって区画された貯蔵部とを含んでなることを特徴とする、漁撈用の筌。
【請求項２】
前記誘引具は、
前記本体に設置され、前記本体の内部と外部とが連結されるように一定面積の開口部を形成する複数の流入枠と、
該流入枠の上端部に沿って一定間隔離隔しながら上下に回動可能に上端が軸設され、流入枠の高さに対応する長さを有し、下端には魚類の餌の形状をした擬似餌が動くように設置され、前面には魚類の餌形状の餌の絵が複数プリントされ、後面には魚類の天敵形状の天敵の絵がプリントされた複数の開閉具と、
前記流入枠と前記開閉具との間に位置し、前記流入枠の上端から下方に一定間隔離隔して水平に設置され、前記開閉具を一定の角度傾いた状態で保持する支持台と、
前記流入枠の上端と前記支持台との間に位置し、前記流入枠の左右から一定の長さだけ前記本体の内部にそれぞれ突出した一対の支持突起と、
前記一対の支持突起に水平に設置され、前記開閉具の上部に位置し、前記開閉具が一定の角度以上上部に回動することを防止する係止台とから構成されることを特徴とする、請求項１に記載の漁撈用の筌。
【請求項３】
前記流入枠の下端には、平面形状の下部脱出防止部が水平に一定の長さで突設され、前記複数の開閉具のうち、最両側に位置する一対の開閉具の下端前面には、「Ｌ」字状の側部脱出防止部がそれぞれ設けられることを特徴とする、請求項２に記載の漁撈用の筌。
【発明の詳細な説明】
【技術分野】
【０００１】
本発明は、魚類の特性を利用し、餌の絵と擬似餌で魚を誘引して捕獲する漁撈用の筌に係り、さらに詳しくは、生餌を使用しないため、環境汚染を誘発しないうえ、生餌の購入にかかる購入費を節減して漁師の収入を増大させ、各魚類の大きさに能動的に対応することができて魚類の大きさに制限されないため様々な魚類を捕獲することができ、多量の魚類を少ない人手で容易に捕獲することができるようにした漁撈用の筌に関する。
【背景技術】
【０００２】
一般に魚類を捕獲するのに用いられる手段としては、筌と漁網がある。筌は魚、イイダコ、タコ、カニ、ウナギなどの魚類を捕獲するためのもので、一般に円筒形の網目構造を有し、側面に１つ以上の捕獲口が形成され、捕獲口を通して内部に入ってきた魚類が外部へ逃げ出すことを防いで魚類を捕獲する手段であり、このような筌は、内部に魚類を誘引するために魚を切ったものや練り餌などの生餌を入れた後、海の底に沈降させ、各種の魚類などを筌の内部に誘引して捕獲する。
【０００３】
また、漁網は、魚を捕獲するのに用いられる網であって、魚群が形成された海に一定の範囲に広げて魚群を捕獲する。
【発明の概要】
【発明が解決しようとする課題】
【０００４】
しかし、前述した従来の筌は、魚類を内部に誘引するために生餌を使用することにより生餌の購入コストがさらに消費されるから、漁師の収入を減少させ、魚類を大量捕獲するために多数の筌を海に設置することにより、筌の内部に投入された生餌が環境汚染を引き起こすおそれがあるという問題点があった。
【０００５】
また、前記漁網を用いた魚類捕獲の場合、先に魚群を探知すべきであるが、これを探知することが難しく、魚群を発見したとしても、漁網が広がった海に魚群を誘い込むことが難しいため、漁獲量が少なく、魚類の捕獲に時間と人手がかかるという問題点があった。
【０００６】
従って、本発明は、前述した従来の問題を解決することができるように、生餌を使用することなく多量の魚類を誘い込んで捕獲することができるようにした漁撈用の筌を提供することを目的とする。
【課題を解決するための手段】
【０００７】
上記目的を達成するための本発明は、漁網によって四角筒体状に構成され、後方が開口した本体と、本体の前方および左右方向にそれぞれ設置され、生餌を使用することなく本体の内部に魚類を誘引して閉じ込める複数の誘引具と、本体の後方に連設され、誘引具を通して流入する魚類を生きている状態で貯蔵する空間が漁網によって区画された貯蔵部とを含んでなることを特徴とする、漁撈用の筌を提供する。
【発明の効果】
【０００８】
本発明によれば、魚類の特性を利用して、生餌を使用することなく多量の魚類を誘引して捕獲することができるので、従来の筌に使用された生餌の購入コストを節減することができて漁師の収入を増大させ、多量の魚類を捕獲するために海に投入される多数の筌に入る生餌による環境汚染を防止し、魚類の捕獲にかかる人手を節減することができ、魚類の大きさに制限されないので様々な魚類を捕獲することができるという効果がある。
【図面の簡単な説明】
【０００９】
【図１】本発明の実施形態の誘引具を示す正面図である。
【図２】本発明の実施形態を示す側面図である。
【図３】本発明の実施形態の誘引具後面を示す斜視図である。
【図４】本発明の実施形態を示す上部平面図である。
【発明を実施するための形態】
【００１０】
以下、添付図面を参照して本発明の好適な実施形態を詳しく説明する。
【００１１】
本発明の漁撈用の筌１００は、漁網により四角筒体状に構成され、後方が開口した本体１と、本体１の前方および左右方向にそれぞれ設置され、生餌を使用することなく、本体１の内部に魚類を誘引して閉じ込める複数の誘引具２と、本体１の後方に連設され、誘引具２を通して流入する魚類を生きている状態で貯蔵する空間が漁網により区画された貯蔵部３とを含んでなることを特徴とする。
【００１２】
前記誘引具２は、本体１に設置され、本体１の内部と外部とが連結されるように一定面積の開口部を形成する複数の流入枠４と、流入枠４の上端部に沿って一定間隔離隔しながら上下に回動可能に上端が軸設され、流入枠４の高さに対応する長さを有し、下端には魚類の餌の形状をした擬似餌５が動くように設置され、前面には魚類の餌形状の餌の絵６が複数プリントされ、後面には魚類の天敵形状の天敵の絵７がプリントされた複数の開閉具８と、流入枠４と開閉具８との間に位置し、流入枠４の上端から下方に一定間隔離隔して水平に設置され、開閉具８を一定の角度傾いた状態で保持する支持台９と、流入枠４の上端と支持台９との間に位置し、流入枠４の左右から一定の長さだけ本体１の内部にそれぞれ突出した一対の支持突起１０と、前記一対の支持突起１０に水平に設置され、開閉具８の上部に位置し、開閉具８が一定の角度以上上部に回動することを防止する係止台１１とから構成される。
【００１３】
前記流入枠４の下端には、平面形状の下部脱出防止部１２が水平に一定の長さで突設され、前記複数の開閉具８のうち、最両側に位置する一対の開閉具８の下端前面には、「Ｌ」字状の側部脱出防止部１３がそれぞれ設けられる。
【００１４】
このように構成された本発明は、様々な魚類を捕獲するために魚類の移動が頻繁な位置の海底に設置するものである。
【００１５】
特に、本発明は、擬似餌を使用して、海洋を汚染することなく魚類を捕獲することができ、生餌の使用による購買コストを節減することができ、多量の魚類を少ない人手で捕獲することができるばかりでなく、魚類を生きている状態で保管することができるという特徴がある。
【００１６】
次に、これを魚類が漁撈用の筌１００の内部に捕獲される過程によって詳細に説明する。
【００１７】
まず、魚類の目は近視で近くの物体はよく見えるが、逆に遠くの物体がよく見えず、これを克服すべく広い範囲の視野を有することにより、天敵や餌を容易に発見する。
【００１８】
これにより、図１に示すように開閉具８前面にプリントされた餌の絵６を魚類が捕捉すると、餌と誤認して漁撈用の筌１００に接近し、餌の絵６を食べるために魚が頭で開閉具８をつつき、これにより開閉具８が上部に回動することになる。
【００１９】
このとき、開閉具８は、図２に示すように、流入枠４の下部が一部開放された状態になるように支持台９によって上部に一定の角度回動した状態で流入枠４に設置される。これは、魚類の頭部によって開閉具８が容易に上部に回動するようにするためである。
【００２０】
すなわち、魚類の頭部が流入枠４と開閉具８との間に挿入され、挿入された頭部を梃子に流入枠４の下端を支持点として開閉具８を容易に回動させるようにしたのである。
【００２１】
これにより、開閉具８は、上部に完全に回動して魚類が本体１の内部に容易に入ることができるように流入枠４を開放することになる。開閉具８が上部に回動するとともに、開閉具８の下端に付着した擬似餌５もともに上部に移動して魚類の視野に捕捉される。
【００２２】
再び魚類は、餌の絵６の他に動く擬似餌５を食べるため、本体１の内部に入り、これと同時に開閉具８が重力により下方に回動して魚類を本体１の内部に閉じ込める。
【００２３】
このとき、本体１の内部から誘引具２を見たとき、流入枠４が開閉具８によって閉ざされた形状となる。
【００２４】
また、開閉具８は、図２および図３に示すように、上部に回動できる角度が係止台１１によって制限されるが、これは、開閉具８が魚類により上部に９０度以上回動すれば、本体１の内部に魚類が入ってから再び逃げ出すことができるから、魚類が本体１の内部に入ると同時に下部に回動するようにするためである。
【００２５】
したがって、本体１の内部に入った魚が後方から開閉具８を押しても開閉具８が支持台９によって回動が制止されることにより、魚類は本体１の内部から脱出することができなくなる。
【００２６】
また、複数の開閉具８の背面には図３に示すように天敵の絵７がプリントされることにより、魚類が誘引具２に接近することを防止し、脱出を未然に防止する。また、図２に示すように、魚類が本体１の内部の下方から脱出を試みても、流入枠４の下端に水平に設置された下部脱出防止部１２によって制止され、魚類の脱出を防止する。
【００２７】
ここで、下部脱出防止部１２の下面にも天敵の絵７がプリントされることにより、魚類の接近を遮断する。
【００２８】
すなわち、上述したように、これもまた魚類の近視を利用したものであり、これは小魚が、天敵が自分たちの魚群に接近することを防止するために群れをなして大きな影を形成して天敵の接近を防ぐ原理と対等する。
【００２９】
また、魚類が本体１内部の両側方からの脱出を試みても、図２ないし図３に示すように、複数の開閉具８のうち、最両側に位置する一対の開閉具８の下端前面に設置された側部脱出防止部１３が、流入枠４と開閉具８との間に形成された空間を防ぎ、魚類の脱出を防止する。
【００３０】
一方、開閉具８が複数設置されることにより、魚類の多様な大きさに能動的に対応し、大きな魚類が本体１の内部に入るときは、多数の開閉具８が回動して大きな魚に対応する大きさに流入枠４を開放し、小さな魚類が本体１の内部に入るときは、少数の開閉具８が回動して小さな魚に対応する大きさに流入枠４を開放する。
【００３１】
また、図１に示すように、複数の開閉具８が一定の間隔離隔して流入枠４の上端に回動可能に設置されることにより、餌の絵６と擬似餌５が周囲の環境に溶け込むことができるうえ、躍動感が維持されて魚類をより効果的に誘引することができるようにし、開閉具８の離隔間隔は捕獲しようとする魚類が通過できないほど離隔させればよい。
【００３２】
そして、餌の絵６としてはゴカイや小魚などが使用されるが、季節に応じて適切な餌の絵６を選択して変更することができる。
【００３３】
また、天敵の絵７としては、サメの歯やアンコウの口など、魚類に恐怖感を与えることができるように大きな画像が使用される。
【００３４】
こればかりでなく、図４のように、前記本体１が四角筒体状に構成されることにより、本体１の後方を除く前方と左右方向に誘引具２が設けられ、魚類の捕獲量を増大させる。
【００３５】
また、本体１の後方に魚類が生存した状態で保管できるように貯蔵部３が設置され、これにより捕獲された魚類の価値を増大させることになる。
【００３６】
また、本発明の漁撈用の筌１００を複数積層して多段に構成することにより、より効率よく魚類を捕獲することができ、これにより、少ない人手でも容易に魚類捕獲作業を行うことができるようになる。
【００３７】
このように構成された本発明の漁撈用の筌１００は、魚類の特性を利用して、生餌を使用することなく、多量の魚を誘引して捕獲することができるので、従来の筌に使用された生餌の購入コストを節減することができて漁師の収入を増大させ、多量の魚を捕獲するために海に投入される多数の筌に入る生餌による環境汚染を防止することができ、魚類の捕獲にかかる人手を節減することができ、魚類の大きさに制限されないので、様々な魚類を捕獲することができる。
【符号の説明】
【００３８】
１    本体
２    誘引具
３    貯蔵部
４    流入枠
５    擬似餌
６    餌の絵
７    天敵の絵
８    開閉具
９    支持台
１０  支持突起
１１  係止台
１２  下部脱出防止部
１３  側部脱出防止部
１００  漁撈用の筌
【図１】
2016214214.tif 000003
【図２】
2016214214.tif 000004
【図３】
2016214214.tif 000005
【図４】
2016214214.tif 000006